(57)【要約】  本発明はキャリア負荷制御方法、ネットワーク装置、ユーザー装置（ＵＥ）及びコンピュータ記憶媒体を開示し、該方法は、放送情報を介して、ユーザー装置（ＵＥ）にアップリンク帯域幅パート集合及びダウンリンク帯域幅パート集合を構成することを含み、前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
2021513232.tif 000002
【特許請求の範囲】
【請求項１】
ネットワーク装置に適用されるキャリア負荷制御方法であって、
放送情報を介して、ユーザー装置（ＵＥ）にアップリンク帯域幅パート集合及びダウンリンク帯域幅パート集合を構成することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である、前記キャリア負荷制御方法。
【請求項２】
前記放送情報を介して、前記ＵＥにアップリンク帯域幅パート集合及びダウンリンク帯域幅パート集合を構成した後、前記負荷制御方法は、更に、
第１アップリンク帯域幅パートで、前記ＵＥから送信されたランダムアクセスプリアンブルを受信することと、
前記ダウンリンク帯域幅パート集合に含まれるダウンリンク帯域幅パートで、前記ランダムアクセスプリアンブルに対する応答情報を送信することと、を含む
請求項１に記載の負荷制御方法。
【請求項３】
前記放送情報を介して、前記ＵＥにアップリンク帯域幅パート集合及びダウンリンク帯域幅パート集合を構成した後、前記負荷制御方法は、更に、
第１アップリンク帯域幅パートで、前記ユーザー装置（ＵＥ）から送信されたランダムアクセスプリアンブルを受信することと、
前記ダウンリンク帯域幅パート集合における第１ダウンリンク帯域幅パートで、前記ＵＥへ前記ランダムアクセスプリアンブルに対する応答情報を送信することと、を含む
請求項１に記載の負荷制御方法。
【請求項４】
前記負荷制御方法は、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することを含む
請求項３に記載の負荷制御方法。
【請求項５】
前記放送情報を介して、前記ＵＥにアップリンク帯域幅パート集合及びダウンリンク帯域幅パート集合を構成した後、前記負荷制御方法は、更に、
ダウンリンク帯域幅パート集合における第２ダウンリンク帯域幅パートを介してＵＥへページングメッセージを送信することを含む
請求項１に記載の負荷制御方法。
【請求項６】
前記負荷制御方法は、更に、
ＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得することを含む
請求項５に記載の負荷制御方法。
【請求項７】
ユーザー装置（ＵＥ）に適用されるキャリア負荷制御方法であって、
放送情報を介して、ネットワーク側によって構成されたアップリンク帯域幅パート集合及びダウンリンク帯域幅パート集合を受信することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である、前記キャリア負荷制御方法。
【請求項８】
前記放送情報を介して、前記ネットワーク側によって構成されたアップリンク帯域幅パート集合及びダウンリンク帯域幅パート集合を受信した後、前記負荷制御方法は、更に、
第１アップリンク帯域幅パートで、ネットワーク側へランダムアクセスプリアンブルを送信することと、
前記ダウンリンク帯域幅パート集合に含まれるダウンリンク帯域幅パートで、ネットワーク側から送信された前記ランダムアクセスプリアンブルに対する応答情報を受信することと、を含む
請求項７に記載の負荷制御方法。
【請求項９】
前記放送情報を介して、前記ネットワーク側によって構成されたアップリンク帯域幅パート集合及びダウンリンク帯域幅パート集合を受信した後、前記負荷制御方法は、更に、
第１アップリンク帯域幅パートで、ネットワーク側へランダムアクセスプリアンブルを送信することと、
前記ダウンリンク帯域幅パート集合における第１ダウンリンク帯域幅パートで、ネットワーク側から送信された前記ランダムアクセスプリアンブルに対する応答情報を受信することと、を含む
請求項７に記載の負荷制御方法。
【請求項１０】
前記負荷制御方法は、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することを含む
請求項９に記載の負荷制御方法。
【請求項１１】
前記放送情報を介して、前記ネットワーク側によって構成されたアップリンク帯域幅パート集合及びダウンリンク帯域幅パート集合を受信した後、前記負荷制御方法は、更に、
ダウンリンク帯域幅パート集合における第２ダウンリンク帯域幅パートを介してネットワーク側から送信されたページングメッセージを受信することを含む
請求項７に記載の負荷制御方法。
【請求項１２】
前記負荷制御方法は、更に、
ＵＥの識別情報及びダウンリンク帯域幅パート集合に含まれるダウンリンク帯域幅パートの数に基づき、ページングメッセージを送信するための第２ダウンリンク帯域幅パートに対応するインデックス値を計算して取得することを含む
請求項１１に記載の負荷制御方法。
【請求項１３】
ネットワーク装置であって、
放送情報を介して、ユーザー装置（ＵＥ）にアップリンク帯域幅パート集合及びダウンリンク帯域幅パート集合を構成する第１通信ユニットを備え、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である、前記ネットワーク装置。
【請求項１４】
前記第１通信ユニットは、第１アップリンク帯域幅パートで、前記ＵＥから送信されたランダムアクセスプリアンブルを受信し、前記ダウンリンク帯域幅パート集合に含まれるダウンリンク帯域幅パートで、前記ランダムアクセスプリアンブルに対する応答情報を送信する
請求項１３に記載のネットワーク装置。
【請求項１５】
前記第１通信ユニットは、第１アップリンク帯域幅パートで、前記ユーザー装置（ＵＥ）から送信されたランダムアクセスプリアンブルを受信し、前記ダウンリンク帯域幅パート集合における第１ダウンリンク帯域幅パートで、前記ＵＥへ前記ランダムアクセスプリアンブルに対する応答情報を送信する
請求項１３に記載のネットワーク装置。
【請求項１６】
前記ネットワーク装置は、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得する第１処理ユニットを備える
請求項１５に記載のネットワーク装置。
【請求項１７】
前記第１通信ユニットは、ダウンリンク帯域幅パート集合における第２ダウンリンク帯域幅パートを介してＵＥへページングメッセージを送信する
請求項１３に記載のネットワーク装置。
【請求項１８】
前記ネットワーク装置は、更に、
ＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得する第１処理ユニットを備える
請求項１７に記載のネットワーク装置。
【請求項１９】
ユーザー装置（ＵＥ）であって、
放送情報を介して、ネットワーク側によって構成されたアップリンク帯域幅パート集合及びダウンリンク帯域幅パート集合を受信する第２通信ユニットを備え、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である、前記ＵＥ。
【請求項２０】
前記第２通信ユニットは、第１アップリンク帯域幅パートで、ネットワーク側へランダムアクセスプリアンブルを送信し、前記ダウンリンク帯域幅パート集合に含まれるダウンリンク帯域幅パートで、ネットワーク側から送信された前記ランダムアクセスプリアンブルに対する応答情報を受信する
請求項１９に記載のＵＥ。
【請求項２１】
前記第２通信ユニットは、第１アップリンク帯域幅パートで、ネットワーク側へランダムアクセスプリアンブルを送信し、前記ダウンリンク帯域幅パート集合における第１ダウンリンク帯域幅パートで、ネットワーク側から送信された前記ランダムアクセスプリアンブルに対する応答情報を受信する
請求項１９に記載のＵＥ。
【請求項２２】
前記ＵＥは、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得する第２処理ユニットを備える
請求項２１に記載のＵＥ。
【請求項２３】
前記第２通信ユニットは、ダウンリンク帯域幅パート集合における第２ダウンリンク帯域幅パートを介してネットワーク側から送信されたページングメッセージを受信する
請求項１９に記載のＵＥ。
【請求項２４】
前記ＵＥは、更に、
ＵＥの識別情報及びダウンリンク帯域幅パート集合に含まれるダウンリンク帯域幅パートの数に基づき、ページングメッセージを送信するための第２ダウンリンク帯域幅パートに対応するインデックス値を計算して取得する第２処理ユニットを備える
請求項２３に記載のＵＥ。
【請求項２５】
ネットワーク装置であって、
プロセッサと、プロセッサで実行できるコンピュータプログラムを記憶するように構成されるメモリと、を備え、
前記プロセッサは前記コンピュータプログラムを実行するとき、請求項１〜６のいずれか１項に記載の負荷制御方法のステップを実行することに用いられる、前記ネットワーク装置。
【請求項２６】
ユーザー装置（ＵＥ）であって、
プロセッサと、プロセッサで実行できるコンピュータプログラムを記憶するように構成されるメモリと、を備え、
前記プロセッサは前記コンピュータプログラムを実行するとき、請求項７〜１２のいずれか１項に記載の負荷制御方法のステップを実行することに用いられる、前記ＵＥ。
【請求項２７】
コンピュータ記憶媒体であって、
コンピュータ実行可能命令が記憶され、前記コンピュータ実行可能命令が実行されるとき、請求項１〜１２のいずれか１項に記載の負荷制御方法のステップを実現する、前記コンピュータ記憶媒体。
【発明の詳細な説明】
【技術分野】
【０００１】
本発明は情報処理技術分野に関し、特にキャリア負荷制御方法、ネットワーク装置、ユーザー装置（ＵＥ）及びコンピュータ記憶媒体に関する。
【背景技術】
【０００２】
現在、人々の速度、遅延、高速移動性、エネルギー効率への追求及び将来生活におけるサービスの多様性、複雑性に伴い、３ＧＰＰの国際標準化機構が５Ｇを研究開発し始めた。新しい無線（ＮＲ：Ｎｅｗ  Ｒａｄｉｏ）に関する検討において、各ＮＲキャリアの最大チャネル帯域幅は低周波数１００ＭＨｚに対するものであって、高周波数４００ＭＨｚに対する帯域幅であるが、１００Ｍｈｚ／４００Ｍｈｚチャネル帯域幅は連続したものである。ＵＥが広帯域キャリアにおいて動作するように維持する場合、ＵＥの電力消費が大きい。このため、ＵＥの実際のスループットに応じてＵＥの無線周波数（ＲＦ：Ｒａｄｉｏ  Ｆｒｅｑｕｅｎｃｙ）帯域幅を調整してもよいよう提案する。例えば、ＵＥのレートが非常に低い場合、ＵＥに少々小さな帯域幅（図１、例えば図中のＢＷＰ１）を構成してもよく、ＵＥのレートへの要求が高い場合、ＵＥに少々大きな帯域幅（図２、例えば図中のＢＷＰ２、該ＢＷＰ２の帯域幅が図１におけるＢＷＰ１の帯域幅より大きい）を構成してもよい。ＵＥが高レートをサポートし、又はキャリアアグリゲーション（ＣＡ：Ｃａｒｒｉｅｒ  Ａｇｇｒｅｇａｔｉｏｎ）モードで操作される場合、複数のＢＷＰ（図３、ＢＷＰ１、ＢＷＰ２がある）を構成してもよい。
【０００３】
従って、帯域幅パート（ＢＷＰ：Ｂａｎｄｗｉｄｔｈ  Ｐａｒｔ）の概念を導入しており、ＥＮ−ＤＣ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）ＮＲ−Ｄｕａｌ  Ｃｏｎｎｅｃｔｉｖｉｔｙ）は、ネットワーク側に多くとも４つのダウンリンク（ＤＬ：Ｄｏｗｎｌｉｎｋ）ＢＷＰ及び４つのアップリンク（ＵＬ：Ｕｐｌｉｎｋ）ＢＷＰが構成される。アクティブ化されたＢＷＰにランダムアクセスチャネル（ＲＡＣＨ：Ｒａｎｄｏｍ  Ａｃｃｅｓｓ  Ｃｈａｎｎｅｌ）リソースが構成された場合、アクティブ化されたＵＬ  ＢＷＰ上でＭＳＧ１を伝送し、そうでない場合、デフォルトのＵＬ  ＢＷＰ上でＭＳＧ１を伝送するが、ＭＳＧ２は、ネットワーク側がすべての可能なＢＷＰにおいてダウンリンクランダムアクセス応答（ＲＡＲ：Ｒａｎｄｏｍ  Ａｃｃｅｓｓ  Ｒｅｓｐｏｎｓｅ）を送信することとなり、このように、システムリソースの浪費及び衝突確率の増加を引き起こしてしまう。
【発明の概要】
【発明が解決しようとする課題】
【０００４】
上記技術的問題を解決するために、本発明の実施例はキャリア負荷制御方法、ネットワーク装置、ユーザー装置（ＵＥ）及びコンピュータ記憶媒体を提供する。
【課題を解決するための手段】
【０００５】
本発明の実施例はネットワーク装置に適用されるキャリア負荷制御方法を提供し、前記負荷制御方法は、
放送情報を介して、ユーザー装置（ＵＥ）にアップリンク帯域幅パート集合及びダウンリンク帯域幅パート集合を構成することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【０００６】
本発明の実施例はＵＥに適用されるキャリア負荷制御方法を提供し、前記負荷制御方法は、
放送情報を介して、ネットワーク側によって構成されたアップリンク帯域幅パート集合及びダウンリンク帯域幅パート集合を受信することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【０００７】
本発明の実施例はネットワーク装置を提供し、前記ネットワーク装置は、
放送情報を介して、ユーザー装置（ＵＥ）にアップリンク帯域幅パート集合及びダウンリンク帯域幅パート集合を構成する第１通信ユニットを備え、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【０００８】
本発明の実施例はＵＥを提供し、前記ＵＥは、
放送情報を介して、ネットワーク側によって構成されたアップリンク帯域幅パート集合及びダウンリンク帯域幅パート集合を受信する第２通信ユニットを備え、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【０００９】
本発明の実施例に係るネットワーク装置は、プロセッサと、プロセッサで実行できるコンピュータプログラムを記憶するように構成されるメモリと、を備え、
前記プロセッサは前記コンピュータプログラムを実行するとき、上記方法のステップを実行することに用いられる。
【００１０】
本発明の実施例に係るユーザー装置（ＵＥ）は、プロセッサと、プロセッサで実行できるコンピュータプログラムを記憶するように構成されるメモリと、を備え、
前記プロセッサは前記コンピュータプログラムを実行するとき、上記方法のステップを実行することに用いられる。
【００１１】
本発明の実施例はコンピュータ記憶媒体を提供し、前記コンピュータ記憶媒体にコンピュータ実行可能命令が記憶され、前記コンピュータ実行可能命令が実行されるとき、上記方法のステップを実現する。
【発明の効果】
【００１２】
本発明の実施例の技術案によれば、ネットワーク側がＵＥのために一部のアップリンク及びダウンリンク帯域幅パートを構成し、この部分のアップリンク及びダウンリンク帯域幅パートが共有リソースとして専門にページング及びランダムアクセス等の処理を行う。それにより１つのアップリンク及び１つのダウンリンク帯域幅パートのみでのページング及びランダムアクセスの処理によって引き起こされる高い衝突確率の問題を回避することができ、さらにすべてのＢＷＰでのダウンリンクランダムアクセス応答の送信によって引き起こされるネットワーク側リソースの浪費の問題を回避することもできる。
【図面の簡単な説明】
【００１３】
【図１】図１はＢＷＰの分割模式図１である。
【図２】図２はＢＷＰの分割模式図２である。
【図３】図３はＢＷＰの分割模式図３である。
【図４】図４はキャリア負荷制御方法のフローチャート１である。
【図５】図５はキャリア負荷制御方法のフローチャート２である。
【図６】図６はキャリア負荷制御方法のフローチャート３である。
【図７】図７はキャリア負荷制御方法のフローチャート４である。
【図８】図８は本発明の実施例のネットワーク装置の構成構造の模式図である。
【図９】図９は本発明の実施例のユーザー装置の構成構造の模式図である。
【図１０】図１０は本発明の実施例のハードウェアアーキテクチャの模式図である。
【発明を実施するための形態】
【００１４】
本発明の実施例の特徴及び技術的内容を更に詳しく理解するために、以下に図面を参照しながら本発明の実施例の実現を詳しく説明し、添付図面は参照・説明のためのものであって、本発明の実施例を制限するためのものではない。
【００１５】
実施例１
本発明の実施例はネットワーク装置に適用されるキャリア負荷制御方法を提供し、前記負荷制御方法は、
放送情報を介して、ユーザー装置（ＵＥ）にアップリンク帯域幅パート集合及びダウンリンク帯域幅パート集合を構成することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【００１６】
理解すべきものは、ＵＥにアップリンク帯域幅パート集合及びダウンリンク帯域幅パート集合を構成することは、ネットワーク装置がその管理している全部又は少なくとも一部のＵＥにアップリンク帯域幅パート集合及びダウンリンク帯域幅パート集合を構成することであるが、構成するＵＥの数を制限しない。
【００１７】
つまり、ネットワーク側（ネットワーク装置）はシステム放送メッセージにおいて１組の共有ＤＬ  ＢＷＰ  ｓｅｔ及びＵＬ  ＢＷＰ  ｓｅｔを放送し、各ＤＬ  ＢＷＰ及びＵＬ  ＢＷＰがいずれも１つの構成されたインデックス値に対応する。
【００１８】
且つ、ＵＬ  ＢＷＰ  ｓｅｔに含まれる少なくとも２つのＵＬ  ＢＷＰには物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）リソース構成情報を含む第１アップリンク帯域幅パートが少なくとも１つある。
【００１９】
注意すべきものは、本実施例における構成されたアップリンク帯域幅パート集合（ｓｅｔ）の数は１より大きいが現在のシステムの分割されたすべてのアップリンク帯域幅パートの数より小さい値であってもよく、例えば、現在のシステムが４つのアップリンク帯域幅パートに分割されてもよく、そうするとアップリンク帯域幅パート集合に含まれる共有アップリンク帯域幅パートが２つ又は３つであってもよい。また、ダウンリンク帯域幅パート集合は上記と同様であり、ここで詳細な説明は省略する。
【００２０】
更に、それぞれ図４、図５を参照しながら２つの処理シーンから本実施例を詳しく説明する。
【００２１】
シーン１
シーン１は図４に示されるとおりである。
【００２２】
ステップ４０１において、放送情報を介して、ユーザー装置（ＵＥ）にアップリンク帯域幅パート集合及びダウンリンク帯域幅パート集合を構成する。
【００２３】
ステップ４０２において、第１アップリンク帯域幅パートで、前記ＵＥから送信されたランダムアクセスプリアンブルを受信する。
【００２４】
ステップ４０３において、前記ダウンリンク帯域幅パート集合に含まれるダウンリンク帯域幅パートで、前記ランダムアクセスプリアンブルに対する応答情報を送信する。
【００２５】
又は、他の処理方式があってもよい。
【００２６】
つまり、上記ステップ４０１及びステップ４０２を完了した後、前記ダウンリンク帯域幅パート集合における第１ダウンリンク帯域幅パートで、前記ＵＥへ前記ランダムアクセスプリアンブルに対する応答情報を送信するステップ４０４を実行する。
【００２７】
つまり、ランダムアクセスプロセスは、ＵＥが共有ＵＬ  ＢＷＰのうちのＰＲＡＣＨリソースを含むＵＬ  ＢＷＰ上でＭＳＧ１を送信することである。
【００２８】
第１方式：ネットワーク側が共有ＢＷＰ  ＤＬ  ｓｅｔにおけるすべてのＢＷＰ上でＲＡＲ応答を送信する。しかしながら、ＵＥが共有ＢＷＰ  ＤＬ  ｓｅｔにおける１つのＤＬ  ＢＷＰ上でＲＡＲを監視すればよい。
【００２９】
第２方式：ネットワーク側が共有ＢＷＰ  ＤＬ  ｓｅｔにおける１つのＢＷＰ上でＲＡＲ応答を送信する。ＵＥも該ＤＬ  ＢＷＰ上でＲＡＲを監視する。
【００３０】
第２方式におけるどのダウンリンク（ＤＬ）帯域幅パート（ＢＷＰ）においてＭＳＧ２の監視を行うかを決定することは、前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することであってもよい。
【００３１】
具体的な計算方法は、前記ランダムアクセスプリアンブルのインデックス及び前記ダウンリンク帯域幅パート集合に含まれるダウンリンク帯域幅パートの数を利用して、モジュロ演算を行うことであってもよく、得られた演算結果がＤＬ  ＢＷＰのインデックス値である。
【００３２】
例えば、該ＤＬ  ＢＷＰインデックス＝送信ｐｒｅａｍｂｌｅ  ｉｎｄｅｘ  ｍｏｄ（ＤＬ  ＢＷＰ  ｓｅｔにおけるＢＷＰの個数）である。
【００３３】
シーン２
図５に示すように、以下のステップを含む。
【００３４】
ステップ５０１において、放送情報を介して、ユーザー装置（ＵＥ）にアップリンク帯域幅パート集合及びダウンリンク帯域幅パート集合を構成する。
【００３５】
ステップ５０２において、ダウンリンク帯域幅パート集合における第２ダウンリンク帯域幅パートを介してＵＥへページングメッセージを送信する。
【００３６】
ステップ５０２における第２ダウンリンク帯域幅パートのインデックス値の計算方式は、
ＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得することを含んでもよい。
【００３７】
具体的には、ＵＥの識別子及びダウンリンク帯域幅パート集合に含まれるダウンリンク帯域幅パートの数を利用して、モジュロ演算を行ってもよく、計算によって得られた結果は前記ＵＥがページングメッセージを送信する第２ダウンリンク帯域幅パートに対応するインデックス値である。
【００３８】
例えば、ＵＥがページングメッセージを受信することは、ＵＥが共有ＤＬ  ＢＷＰ  ｓｅｔにおける１つのＢＷＰにおいてｐａｇｉｎｇメッセージを監視することであり、このＤＬ  ＢＷＰはページングタイミングで計算されたＵＥ−ＩＤ  ｍｏｄ  ＤＬ  ＢＷＰ  ｓｅｔにおけるＢＷＰの個数によって決定される。つまり、ページングメッセージを監視するＤＬ  ＢＷＰインデックス＝ＵＥ−ＩＤ  ｍｏｄ（ＤＬ  ＢＷＰ  ｓｅｔにおけるＢＷＰの個数）である。
【００３９】
以上によれば、上記方式を用いることにより、ネットワーク側がＵＥのために一部のアップリンク及びダウンリンク帯域幅パートを構成し、この部分のアップリンク及びダウンリンク帯域幅パートが共有リソースとして専門にページング及びランダムアクセス等の処理を行う。それにより１つのアップリンク及び１つのダウンリンク帯域幅パートのみでのページング及びランダムアクセスの処理によって引き起こされる高い衝突確率の問題を回避することができ、さらにすべてのＢＷＰでのダウンリンクランダムアクセス応答の送信によって引き起こされるネットワーク側リソースの浪費の問題を回避することもできる。
【００４０】
実施例２
本発明の実施例はＵＥに適用されるキャリア負荷制御方法を提供し、前記負荷制御方法は、
放送情報を介して、ネットワーク側によって構成されたアップリンク帯域幅パート集合及びダウンリンク帯域幅パート集合を受信することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【００４１】
理解すべきものは、ＵＥにアップリンク帯域幅パート集合及びダウンリンク帯域幅パート集合を構成することは、ネットワーク装置がその管理している全部又は少なくとも一部のＵＥにアップリンク帯域幅パート集合及びダウンリンク帯域幅パート集合を構成することであるが、構成するＵＥの数を制限しない。
【００４２】
つまり、ネットワーク側（ネットワーク装置）がシステム放送メッセージにおいて１組の共有ＤＬ  ＢＷＰ  ｓｅｔ及びＵＬ  ＢＷＰ  ｓｅｔを放送し、各ＤＬ  ＢＷＰ及びＵＬ  ＢＷＰがいずれも１つの構成されたインデックス値に対応する。
【００４３】
且つ、ＵＬ  ＢＷＰ  ｓｅｔに含まれる少なくとも２つのＵＬ  ＢＷＰにはＰＲＡＣＨリソース構成情報を含む第１アップリンク帯域幅パートが少なくとも１つある。
【００４４】
注意すべきものは、本実施例における構成されたアップリンク帯域幅パート集合の数は１より大きいが現在のシステムの分割されたすべてのアップリンク帯域幅パートの数より小さい値であってもよく、例えば、現在のシステムが４つのアップリンク帯域幅パートに分割されてもよく、そうするとアップリンク帯域幅パート集合に含まれる共有アップリンク帯域幅パートが２つ又は３つであってもよい。また、ダウンリンク帯域幅パート集合は上記と同様であり、ここで詳細な説明は省略する。
【００４５】
更に、それぞれ図６、図７を参照しながら２つの処理シーンから本実施例を詳しく説明する。
【００４６】
シーン１
シーン１は図６に示されるとおりである。
【００４７】
ステップ６０１において、放送情報を介して、ネットワーク側によって構成されたアップリンク帯域幅パート集合及びダウンリンク帯域幅パート集合を受信する。
【００４８】
ステップ６０２において、第１アップリンク帯域幅パートで、ネットワーク側へランダムアクセスプリアンブルを送信する。
【００４９】
ステップ６０３において、前記ダウンリンク帯域幅パート集合に含まれるダウンリンク帯域幅パートで、ネットワーク側から送信された前記ランダムアクセスプリアンブルに対する応答情報を受信する。
【００５０】
又は、他の処理方式があってもよく、
つまり、上記ステップ６０１及びステップ６０２を完了した後、前記ダウンリンク帯域幅パート集合における第１ダウンリンク帯域幅パートで、ネットワーク側から送信された前記ランダムアクセスプリアンブルに対する応答情報を受信するステップ６０４を実行する。
【００５１】
つまり、ランダムアクセスプロセスは、ＵＥが共有ＵＬ  ＢＷＰのうちのＰＲＡＣＨリソースを含むＵＬ  ＢＷＰ上でＭＳＧ１を送信することである。
【００５２】
第１方式：ネットワーク側が共有ＢＷＰ  ＤＬ  ｓｅｔにおけるすべてのＢＷＰ上でＲＡＲ応答を送信する。しかしながら、ＵＥが共有ＢＷＰ  ＤＬ  ｓｅｔにおける１つのＤＬ  ＢＷＰ上でＲＡＲを監視すればよい。
【００５３】
第２方式：ネットワーク側が共有ＢＷＰ  ＤＬ  ｓｅｔにおける１つのＢＷＰ上でＲＡＲ応答を送信する。ＵＥも該ＤＬ  ＢＷＰ上でＲＡＲを監視する。
【００５４】
第２方式におけるどのダウンリンク（ＤＬ）帯域幅パート（ＢＷＰ）においてＭＳＧ２の監視を行うかを決定することは、前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することであってもよい。
【００５５】
具体的な計算方法は、前記ランダムアクセスプリアンブルのインデックス及び前記ダウンリンク帯域幅パート集合に含まれるダウンリンク帯域幅パートの数を利用して、モジュロ演算を行うことであってもよく、得られた演算結果がＤＬ  ＢＷＰのインデックス値である。
【００５６】
例えば、該ＤＬ  ＢＷＰインデックス＝送信ｐｒｅａｍｂｌｅ  ｉｎｄｅｘ  ｍｏｄ（ＤＬ  ＢＷＰ  ｓｅｔにおけるＢＷＰの個数）である。
【００５７】
シーン２
図７に示すように、以下のステップを含む。
【００５８】
ステップ７０１において、放送情報を介して、ネットワーク側によって構成されたアップリンク帯域幅パート集合及びダウンリンク帯域幅パート集合を受信する。
【００５９】
ステップ７０２において、ダウンリンク帯域幅パート集合における第２ダウンリンク帯域幅パートを介してネットワーク側から送信されたページングメッセージを受信する。
【００６０】
ステップ７０２における第２ダウンリンク帯域幅パートのインデックス値の計算方式は、
ＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得することを含んでもよい。
【００６１】
具体的には、ＵＥの識別子及びダウンリンク帯域幅パート集合に含まれるダウンリンク帯域幅パートの数を利用して、モジュロ演算を行ってもよく、計算によって得られた結果は前記ＵＥがページングメッセージを送信する第２ダウンリンク帯域幅パートに対応するインデックス値である。
【００６２】
例えば、ＵＥがページングメッセージを受信することは、ＵＥが共有ＤＬ  ＢＷＰ  ｓｅｔにおける１つのＢＷＰにおいてｐａｇｉｎｇメッセージを監視することであり、このＤＬ  ＢＷＰはページングタイミングで計算されたＵＥ−ＩＤ  ｍｏｄ  ＤＬ  ＢＷＰ  ｓｅｔにおけるＢＷＰの個数によって決定される。つまり、ページングメッセージを監視するＤＬ  ＢＷＰインデックス＝ＵＥ−ＩＤ  ｍｏｄ（ＤＬ  ＢＷＰ  ｓｅｔにおけるＢＷＰの個数）である。
【００６３】
以上によれば、上記方式を用いることにより、ネットワーク側がＵＥのために一部のアップリンク及びダウンリンク帯域幅パートを構成し、この部分のアップリンク及びダウンリンク帯域幅パートが共有リソースとして専門にページング及びランダムアクセス等の処理を行う。それにより１つのアップリンク及び１つのダウンリンク帯域幅パートのみでのページング及びランダムアクセスの処理によって引き起こされる高い衝突確率の問題を回避することができ、さらにすべてのＢＷＰでのダウンリンクランダムアクセス応答の送信によって引き起こされるネットワーク側リソースの浪費の問題を回避することもできる。
【００６４】
実施例３
本発明の実施例はネットワーク装置を提供し、図８に示すように、
放送情報を介して、ユーザー装置（ＵＥ）にアップリンク帯域幅パート集合及びダウンリンク帯域幅パート集合を構成する第１通信ユニット８１を備え、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【００６５】
理解すべきものは、ＵＥにアップリンク帯域幅パート集合及びダウンリンク帯域幅パート集合を構成することは、ネットワーク装置がその管理している全部又は少なくとも一部のＵＥにアップリンク帯域幅パート集合及びダウンリンク帯域幅パート集合を構成することであるが、構成するＵＥの数を制限しない。
【００６６】
つまり、ネットワーク側（ネットワーク装置）がシステム放送メッセージにおいて１組の共有ＤＬ  ＢＷＰ  ｓｅｔ及びＵＬ  ＢＷＰ  ｓｅｔを放送し、各ＤＬ  ＢＷＰ及びＵＬ  ＢＷＰがいずれも１つの構成されたインデックス値に対応する。
【００６７】
且つ、ＵＬ  ＢＷＰ  ｓｅｔに含まれる少なくとも２つのＵＬ  ＢＷＰにはＰＲＡＣＨリソース構成情報を含む第１アップリンク帯域幅パートが少なくとも１つある。
【００６８】
注意すべきものは、本実施例における構成されたアップリンク帯域幅パート集合の数は１より大きいが現在のシステムの分割されたすべてのアップリンク帯域幅パートの数より小さい値であってもよく、例えば、現在のシステムが４つのアップリンク帯域幅パートに分割されてもよく、そうするとアップリンク帯域幅パート集合に含まれる共有アップリンク帯域幅パートが２つ又は３つであってもよい。また、ダウンリンク帯域幅パート集合は上記と同様であり、ここで詳細な説明は省略する。
【００６９】
更に、それぞれ図４、図５を参照しながら２つの処理シーンから本実施例を詳しく説明する。
【００７０】
シーン１
第１通信ユニット８１は放送情報を介して、ユーザー装置（ＵＥ）にアップリンク帯域幅パート集合及びダウンリンク帯域幅パート集合を構成し、第１アップリンク帯域幅パートで、前記ＵＥから送信されたランダムアクセスプリアンブルを受信し、前記ダウンリンク帯域幅パート集合に含まれるダウンリンク帯域幅パートで、前記ランダムアクセスプリアンブルに対する応答情報を送信する。
【００７１】
又は、他の処理方式があってもよく、第１通信ユニット８１は前記ダウンリンク帯域幅パート集合における第１ダウンリンク帯域幅パートで、前記ＵＥへ前記ランダムアクセスプリアンブルに対する応答情報を送信する。
【００７２】
つまり、ランダムアクセスプロセスは、ＵＥが共有ＵＬ  ＢＷＰのうちのＰＲＡＣＨリソースを含むＵＬ  ＢＷＰ上でＭＳＧ１を送信することである。
【００７３】
第１方式：ネットワーク側が共有ＢＷＰ  ＤＬ  ｓｅｔにおけるすべてのＢＷＰ上でＲＡＲ応答を送信する。しかしながら、ＵＥが共有ＢＷＰ  ＤＬ  ｓｅｔにおける１つのＤＬ  ＢＷＰ上でＲＡＲを監視すればよい。
【００７４】
第２方式：ネットワーク側が共有ＢＷＰ  ＤＬ  ｓｅｔにおける１つのＢＷＰ上でＲＡＲ応答を送信する。ＵＥも該ＤＬ  ＢＷＰ上でＲＡＲを監視する。
【００７５】
第２方式におけるどのダウンリンク（ＤＬ）帯域幅パート（ＢＷＰ）においてＭＳＧ２の監視を行うかを決定することは、第１処理ユニット８２が前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することである。
【００７６】
具体的な計算方法は、前記ランダムアクセスプリアンブルのインデックス及び前記ダウンリンク帯域幅パート集合に含まれるダウンリンク帯域幅パートの数を利用して、モジュロ演算を行うことであってもよく、得られた演算結果がＤＬ  ＢＷＰのインデックス値である。
【００７７】
例えば、該ＤＬ  ＢＷＰインデックス＝送信ｐｒｅａｍｂｌｅ  ｉｎｄｅｘ  ｍｏｄ（ＤＬ  ＢＷＰ  ｓｅｔにおけるＢＷＰの個数）である。
【００７８】
シーン２
第１通信ユニット８１は放送情報を介して、ユーザー装置（ＵＥ）にアップリンク帯域幅パート集合及びダウンリンク帯域幅パート集合を構成し、ダウンリンク帯域幅パート集合における第２ダウンリンク帯域幅パートを介してＵＥへページングメッセージを送信する。
【００７９】
第２ダウンリンク帯域幅パートのインデックス値の計算方式は、
第１処理ユニット８２がＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得することを含んでもよい。
【００８０】
具体的には、ＵＥの識別子及びダウンリンク帯域幅パート集合に含まれるダウンリンク帯域幅パートの数を利用して、モジュロ演算を行ってもよく、計算によって得られた結果は前記ＵＥがページングメッセージを送信する第２ダウンリンク帯域幅パートに対応するインデックス値である。
【００８１】
例えば、ＵＥがページングメッセージを受信することは、ＵＥが共有ＤＬ  ＢＷＰ  ｓｅｔにおける１つのＢＷＰにおいてｐａｇｉｎｇメッセージを監視することであり、このＤＬ  ＢＷＰはページングタイミングで計算されたＵＥ−ＩＤ  ｍｏｄ  ＤＬ  ＢＷＰ  ｓｅｔにおけるＢＷＰの個数によって決定される。つまり、ページングメッセージを監視するＤＬ  ＢＷＰインデックス＝ＵＥ−ＩＤ  ｍｏｄ（ＤＬ  ＢＷＰ  ｓｅｔにおけるＢＷＰの個数）である。
【００８２】
以上によれば、上記方式を用いることにより、ネットワーク側がＵＥのために一部のアップリンク及びダウンリンク帯域幅パートを構成し、この部分のアップリンク及びダウンリンク帯域幅パートが共有リソースとして専門にページング及びランダムアクセス等の処理を行う。それにより１つのアップリンク及び１つのダウンリンク帯域幅パートのみでのページング及びランダムアクセスの処理によって引き起こされる高い衝突確率の問題を回避することができ、さらにすべてのＢＷＰでのダウンリンクランダムアクセス応答の送信によって引き起こされるネットワーク側リソースの浪費の問題を回避することもできる。
【００８３】
実施例４
本発明の実施例はＵＥを提供し、図９に示すように、
放送情報を介して、ネットワーク側によって構成されたアップリンク帯域幅パート集合及びダウンリンク帯域幅パート集合を受信する第２通信ユニット９１を備え、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートにはランダムアクセス情報リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である。
【００８４】
理解すべきものは、ＵＥにアップリンク帯域幅パート集合及びダウンリンク帯域幅パート集合を構成することは、ネットワーク装置がその管理している全部又は少なくとも一部のＵＥにアップリンク帯域幅パート集合及びダウンリンク帯域幅パート集合を構成することであるが、構成するＵＥの数を制限しない。
【００８５】
つまり、ネットワーク側（ネットワーク装置）がシステム放送メッセージにおいて１組の共有ＤＬ  ＢＷＰ  ｓｅｔ及びＵＬ  ＢＷＰ  ｓｅｔを放送し、各ＤＬ  ＢＷＰ及びＵＬ  ＢＷＰがいずれも１つの構成されたインデックス値に対応する。
【００８６】
且つ、ＵＬ  ＢＷＰ  ｓｅｔに含まれる少なくとも２つのＵＬ  ＢＷＰにはＰＲＡＣＨリソース構成情報を含む第１アップリンク帯域幅パートが少なくとも１つある。
【００８７】
注意すべきものは、本実施例における構成されたアップリンク帯域幅パート集合の数は１より大きいが現在のシステムの分割されたすべてのアップリンク帯域幅パートの数より小さい値であってもよく、例えば、現在のシステムが４つのアップリンク帯域幅パートに分割されてもよく、そうするとアップリンク帯域幅パート集合に含まれる共有アップリンク帯域幅パートが２つ又は３つであってもよい。また、ダウンリンク帯域幅パート集合は上記と同様であり、ここで詳細な説明は省略する。
【００８８】
更に、それぞれ図６、図７を参照しながら２つの処理シーンから本実施例を詳しく説明する。
【００８９】
シーン１
第２通信ユニット９１は放送情報を介して、ネットワーク側によって構成されたアップリンク帯域幅パート集合及びダウンリンク帯域幅パート集合を受信し、第１アップリンク帯域幅パートで、ネットワーク側へランダムアクセスプリアンブルを送信し、前記ダウンリンク帯域幅パート集合に含まれるダウンリンク帯域幅パートで、ネットワーク側から送信された前記ランダムアクセスプリアンブルに対する応答情報を受信する。
【００９０】
又は、他の処理方式があってもよく、第２通信ユニット９１は前記ダウンリンク帯域幅パート集合における第１ダウンリンク帯域幅パートで、ネットワーク側から送信された前記ランダムアクセスプリアンブルに対する応答情報を受信する。
【００９１】
つまり、ランダムアクセスプロセスは、ＵＥが共有ＵＬ  ＢＷＰのうちのＰＲＡＣＨリソースを含むＵＬ  ＢＷＰ上でＭＳＧ１を送信することである。
【００９２】
第１方式：ネットワーク側が共有ＢＷＰ  ＤＬ  ｓｅｔにおけるすべてのＢＷＰ上でＲＡＲ応答を送信する。しかしながら、ＵＥが共有ＢＷＰ  ＤＬ  ｓｅｔにおける１つのＤＬ  ＢＷＰ上でＲＡＲを監視すればよい。
【００９３】
第２方式：ネットワーク側が共有ＢＷＰ  ＤＬ  ｓｅｔにおける１つのＢＷＰ上でＲＡＲ応答を送信する。ＵＥも該ＤＬ  ＢＷＰ上でＲＡＲを監視する。
【００９４】
第２方式ではどのダウンリンク（ＤＬ）帯域幅パート（ＢＷＰ）においてＭＳＧ２の監視を行うかを決定し、前記ＵＥは、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得する第２処理ユニット９２を備える。
【００９５】
具体的な計算方法は、前記ランダムアクセスプリアンブルのインデックス及び前記ダウンリンク帯域幅パート集合に含まれるダウンリンク帯域幅パートの数を利用して、モジュロ演算を行うことであってもよく、得られた演算結果がＤＬ  ＢＷＰのインデックス値である。
【００９６】
例えば、該ＤＬ  ＢＷＰインデックス＝送信ｐｒｅａｍｂｌｅ  ｉｎｄｅｘ  ｍｏｄ（ＤＬ  ＢＷＰ  ｓｅｔにおけるＢＷＰの個数）である。
【００９７】
シーン２
第２通信ユニット９１は放送情報を介して、ネットワーク側によって構成されたアップリンク帯域幅パート集合及びダウンリンク帯域幅パート集合を受信し、ダウンリンク帯域幅パート集合における第２ダウンリンク帯域幅パートを介してネットワーク側から送信されたページングメッセージを受信する。
【００９８】
第２ダウンリンク帯域幅パートのインデックス値の計算方式は、
第２処理ユニット９２がＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得することを含んでもよい。
【００９９】
具体的には、ＵＥの識別子及びダウンリンク帯域幅パート集合に含まれるダウンリンク帯域幅パートの数を利用して、モジュロ演算を行ってもよく、計算によって得られた結果は前記ＵＥがページングメッセージを送信する第２ダウンリンク帯域幅パートに対応するインデックス値である。
【０１００】
例えば、ＵＥがページングメッセージを受信することは、ＵＥが共有ＤＬ  ＢＷＰ  ｓｅｔにおける１つのＢＷＰにおいてｐａｇｉｎｇメッセージを監視することであり、このＤＬ  ＢＷＰはページングタイミングで計算されたＵＥ−ＩＤ  ｍｏｄ  ＤＬ  ＢＷＰ  ｓｅｔにおけるＢＷＰの個数によって決定される。つまり、ページングメッセージを監視するＤＬ  ＢＷＰインデックス＝ＵＥ−ＩＤ  ｍｏｄ（ＤＬ  ＢＷＰ  ｓｅｔにおけるＢＷＰの個数）である。
【０１０１】
以上によれば、上記方式を用いることにより、ネットワーク側がＵＥのために一部のアップリンク及びダウンリンク帯域幅パートを構成し、この部分のアップリンク及びダウンリンク帯域幅パートが共有リソースとして専門にページング及びランダムアクセス等の処理を行う。それにより１つのアップリンク及び１つのダウンリンク帯域幅パートのみでのページング及びランダムアクセスの処理によって引き起こされる高い衝突確率の問題を回避することができ、さらにすべてのＢＷＰでのダウンリンクランダムアクセス応答の送信によって引き起こされるネットワーク側リソースの浪費の問題を回避することもできる。
【０１０２】
本発明の実施例は更にユーザー装置又はネットワーク装置のハードウェアアーキテクチャを提供し、図１０に示すように、該ハードウェアアーキテクチャは少なくとも１つのプロセッサ１００１、メモリ１００２、少なくとも１つのネットワークインターフェース１００３を備える。各コンポーネントがバスシステム１００４によって一体に結合される。理解すべきものは、バスシステム１００４はこれらのコンポーネント同士の接続通信を実現することに用いられる。バスシステム１００４はデータバスのほか、更に電源バス、制御バス及び状態信号バスを含む。しかしながら、明確に説明するために、図１０では様々なバスがいずれもバスシステム１００４として記される。
【０１０３】
理解すべきものは、本発明の実施例におけるメモリ１００２は揮発性メモリであっても、又は不揮発性メモリであってもよく、又は、揮発性メモリ及び不揮発性メモリの両方を含んでもよい。
【０１０４】
いくつかの実施形態では、メモリ１００２には、実行可能モジュール又はデータ構造、すなわち、オペレーティングシステム１００２１及びアプリケーションプログラム１００２２、又はそれらのサブセット、又はそれらの拡張セットが記憶される。
【０１０５】
前記プロセッサ１００１は上記実施例１又は実施例２の方法のステップを処理できるように構成され、ここで詳細な説明は省略する。
【０１０６】
本発明の実施例はコンピュータ記憶媒体を提供し、前記コンピュータ記憶媒体にコンピュータ実行可能命令が記憶され、前記コンピュータ実行可能命令が実行されるとき、上記実施例１又は実施例２の方法のステップを実施する。
【０１０７】
本発明の実施例の上記装置はソフトウェア機能モジュールの形式で実現され、独立した製品として販売又は使用されるときは、１つのコンピュータ可読記憶媒体に記憶されてもよい。このような理解に基づき、本発明の実施例の技術案の本質的又は従来技術に貢献する部分はソフトウェア製品の形式で具現されてもよく、該コンピュータソフトウェア製品は、１台のコンピュータ装置（パーソナルコンピュータ、サーバ又はネットワーク装置等）に本発明の各実施例に記載の方法の全部又は一部を実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このように、本発明の実施例はいかなる特定のハードウェア及びソフトウェアの組み合わせに制限されるものではない。
【０１０８】
それに対応して、本発明の実施例は更にコンピュータ記憶媒体を提供し、該コンピュータ記憶媒体にコンピュータプログラムが記憶され、該コンピュータプログラムは本発明の実施例のデータスケジューリング方法を実行するように構成される。
【０１０９】
例示のため、本発明の好適な実施例を開示したが、当業者であれば、種々の改良、追加及び置換も可能であることを理解することができる。従って、本発明の範囲は上記実施例に制限されるべきではない。
【図１】
2021513232.tif 000003
【図２】
2021513232.tif 000004
【図３】
2021513232.tif 000005
【図４】
2021513232.tif 000006
【図５】
2021513232.tif 000007
【図６】
2021513232.tif 000008
【図７】
2021513232.tif 000009
【図８】
2021513232.tif 000010
【図９】
2021513232.tif 000011
【図１０】
2021513232.tif 000012
【手続補正書】
【提出日】令和2年11月25日(2020.11.25)
【手続補正１】
【補正対象書類名】特許請求の範囲
【補正対象項目名】全文
【補正方法】変更
【補正の内容】
【特許請求の範囲】
【請求項１】
ネットワーク装置に適用されるキャリア負荷制御方法であって、
放送情報を介して、ユーザー装置（ＵＥ）にアップリンク帯域幅パート集合及びダウンリンク帯域幅パート集合を構成することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートには物理ランダムアクセスチャネル（ＰＲＡＣＨ）リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である、前記キャリア負荷制御方法。
【請求項２】
前記放送情報を介して、前記ＵＥにアップリンク帯域幅パート集合及びダウンリンク帯域幅パート集合を構成した後、前記負荷制御方法は、更に、
第１アップリンク帯域幅パートで、前記ＵＥから送信されたランダムアクセスプリアンブルを受信することと、
前記ダウンリンク帯域幅パート集合に含まれるダウンリンク帯域幅パートで、前記ランダムアクセスプリアンブルに対する応答情報を送信することと、を含む
請求項１に記載の負荷制御方法。
【請求項３】
前記放送情報を介して、前記ＵＥにアップリンク帯域幅パート集合及びダウンリンク帯域幅パート集合を構成した後、前記負荷制御方法は、更に、
第１アップリンク帯域幅パートで、前記ユーザー装置（ＵＥ）から送信されたランダムアクセスプリアンブルを受信することと、
前記ダウンリンク帯域幅パート集合における第１ダウンリンク帯域幅パートで、前記ＵＥへ前記ランダムアクセスプリアンブルに対する応答情報を送信することと、を含む
請求項１に記載の負荷制御方法。
【請求項４】
前記負荷制御方法は、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することを含む
請求項３に記載の負荷制御方法。
【請求項５】
前記放送情報を介して、前記ＵＥにアップリンク帯域幅パート集合及びダウンリンク帯域幅パート集合を構成した後、前記負荷制御方法は、更に、
ダウンリンク帯域幅パート集合における第２ダウンリンク帯域幅パートを介してＵＥへページングメッセージを送信することを含む
請求項１に記載の負荷制御方法。
【請求項６】
前記負荷制御方法は、更に、
ＵＥの識別情報及びダウンリンク帯域幅パート集合に含まれるダウンリンク帯域幅パートの数に基づき、ページングメッセージを前記ＵＥに送信するための第２ダウンリンク帯域幅パートに対応するインデックス値を計算して取得することを含む
請求項５に記載の負荷制御方法。
【請求項７】
ユーザー装置（ＵＥ）に適用されるキャリア負荷制御方法であって、
放送情報を介して、ネットワーク側によって構成されたアップリンク帯域幅パート集合及びダウンリンク帯域幅パート集合を受信することを含み、
前記アップリンク帯域幅パート集合には、少なくとも２つのアップリンク帯域幅パートが含まれ、且つ前記少なくとも２つのアップリンク帯域幅パートが前記ネットワーク装置の割り当て可能なすべてのアップリンク帯域幅パートのうちの一部であり、前記少なくとも２つのアップリンク帯域幅パートには物理ランダムアクセスチャネル（ＰＲＡＣＨ）リソース構成情報を含む第１アップリンク帯域幅パートが少なくとも１つあり、
前記ダウンリンク帯域幅パート集合には、少なくとも２つのダウンリンク帯域幅パートが含まれ、且つ前記少なくとも２つのダウンリンク帯域幅パートが前記ネットワーク装置の割り当て可能なすべてのダウンリンク帯域幅パートのうちの一部である、前記キャリア負荷制御方法。
【請求項８】
前記放送情報を介して、前記ネットワーク側によって構成されたアップリンク帯域幅パート集合及びダウンリンク帯域幅パート集合を受信した後、前記負荷制御方法は、更に、
第１アップリンク帯域幅パートで、ネットワーク側へランダムアクセスプリアンブルを送信することと、
前記ダウンリンク帯域幅パート集合に含まれるダウンリンク帯域幅パートで、ネットワーク側から送信された前記ランダムアクセスプリアンブルに対する応答情報を受信することと、を含む
請求項７に記載の負荷制御方法。
【請求項９】
前記放送情報を介して、前記ネットワーク側によって構成されたアップリンク帯域幅パート集合及びダウンリンク帯域幅パート集合を受信した後、前記負荷制御方法は、更に、
第１アップリンク帯域幅パートで、ネットワーク側へランダムアクセスプリアンブルを送信することと、
前記ダウンリンク帯域幅パート集合における第１ダウンリンク帯域幅パートで、ネットワーク側から送信された前記ランダムアクセスプリアンブルに対する応答情報を受信することと、を含む
請求項７に記載の負荷制御方法。
【請求項１０】
前記負荷制御方法は、更に、
前記ランダムアクセスプリアンブルのインデックス及び前記ダウンリンク帯域幅パート集合に含まれるダウンリンク帯域幅パートの数に基づき、第１ダウンリンク帯域幅パートのインデックス値を計算して取得することを含む
請求項９に記載の負荷制御方法。
【請求項１１】
前記放送情報を介して、前記ネットワーク側によって構成されたアップリンク帯域幅パート集合及びダウンリンク帯域幅パート集合を受信した後、前記負荷制御方法は、更に、
ダウンリンク帯域幅パート集合における第２ダウンリンク帯域幅パートを介してネットワーク側から送信されたページングメッセージを受信することを含む
請求項７に記載の負荷制御方法。
【請求項１２】
前記負荷制御方法は、更に、
ＵＥの識別情報及びダウンリンク帯域幅パート集合に含まれるダウンリンク帯域幅パートの数に基づき、ページングメッセージを送信するための第２ダウンリンク帯域幅パートに対応するインデックス値を計算して取得することを含む
請求項１１に記載の負荷制御方法。
【請求項１３】
ネットワーク装置であって、
請求項１〜６のいずれか一項に記載のキャリア負荷制御方法を実装するように構成される、前記ネットワーク装置。
【請求項１４】
ユーザー装置（ＵＥ）であって、
請求項７〜１２のいずれか一項に記載のキャリア負荷制御方法を実装するように構成される、前記ＵＥ。
【請求項１５】
コンピュータ記憶媒体であって、
コンピュータ実行可能命令が記憶され、前記コンピュータ実行可能命令が実行されるとき、請求項１〜１２のいずれか１項に記載の負荷制御方法のステップを実現する、前記コンピュータ記憶媒体。
【国際調査報告】
2021513232.tif 000013
2021513232.tif 000014
2021513232.tif 000015
2021513232.tif 000016